(57)【要約】【課題】  テープ上のデータの不連続部分における再生データの乱れを抑制する。【解決手段】  Ｎトラックを単位としてエラー訂正符号化処理が施された情報データを含むデジタルデータをテープ状記録媒体から再生する再生手段と、再生されたデジタルデータよりトラック番号を示すトラック管理情報を検出する検出手段と、Ｎトラック分の情報データを記憶可能で独立にデータの書き込み及び読み出しが可能な複数のメモリバンクを有するメモリと、各メモリバンクに記憶されたＮトラックの情報データに対してエラー訂正復号処理を施すエラー訂正手段と、検出されたトラック管理情報に基づいて情報データを書き込むメモリバンクを切り替える制御手段とを備え、前記検出手段により検出されたトラック番号が不連続であった場合、トラック番号が連続するようトラック番号を変更し、変更後のトラック番号に基づいてメモリバンクを切り替える。【選択図】  図１
2007018556.tif 000002
【特許請求の範囲】
【請求項１】
Ｎトラック（Ｎは２以上の整数）を単位としてエラー訂正符号化処理が施された情報データを含むデジタルデータをテープ状記録媒体上の多数のトラックから再生する再生手段と、
前記再生手段により再生されたデジタルデータよりトラック番号を示すトラック管理情報を検出する検出手段と、
前記Ｎトラック分の情報データを記憶可能で独立にデータの書き込み及び読み出しが可能な複数のメモリバンクを有し、前記再生手段により再生された情報データを記憶するメモリと、
前記メモリの各メモリバンクに記憶されたＮトラック分の情報データに対してエラー訂正復号処理を施すエラー訂正手段と、
前記検出手段により検出されたトラック管理情報に基づいて、前記再生された情報データを書き込むメモリバンクを切り替える制御手段とを備え、
前記制御手段は、前記検出手段により検出されたトラック番号が不連続であった場合、前記トラック番号が連続するよう前記不連続部分のトラック番号を変更し、変更後のトラック番号に基づいて前記メモリバンクを切り替えることを特徴とする再生装置。
【請求項２】
前記制御手段は、前記エラー訂正手段による訂正能力に応じて前記不連続部分のトラック番号を変更することを特徴とする請求項１記載の再生装置。
【請求項３】
前記制御手段は、前記エラー訂正手段の訂正能力に応じたトラック数分前記トラック番号を変更することを特徴とする請求項２記載の再生装置。
【請求項４】
Ｎトラック（Ｎは２以上の整数）を単位としてエラー訂正符号化処理が施された情報データを含むデジタルデータをテープ状記録媒体上の多数のトラックから再生する再生手段と、
前記再生手段により再生されたデジタルデータよりトラック番号を示すトラック管理情報を検出する検出手段と、
前記Ｎトラック分の情報データを記憶可能で独立にデータの書き込み及び読み出しが可能な複数のメモリバンクを有し、前記再生手段により再生された情報データを記憶するメモリと、
前記メモリの各メモリバンクに記憶されたＮトラック分の情報データに対してエラー訂正復号処理を施すエラー訂正手段と、
前記検出手段により検出されたトラック管理情報に基づいて、前記再生された情報データを書き込むメモリバンクを切り替える制御手段と、
前記エラー訂正手段により処理された情報データを外部に出力する出力手段とを備え、
前記制御手段は、前記Ｎトラックの情報データ毎に前記メモリバンクの切り替えが行われたか否かを判別し、Ｎトラック毎にメモリバンクの切り替えが行われなかった場合、前記出力手段による前記メモリバンクの切り替え前の情報データの出力を中止することを特徴とする再生装置。
【請求項５】
前記制御手段は、前記Ｎトラック毎にメモリバンクの切り替えが行われていた場合、更に、このＮトラック分の情報データが直前のＮトラック分の情報データと連続したデータであるか否かを判別し、連続していない場合には、前記出力手段による当該Ｎトラック分の情報データの出力を中止することを特徴とする請求項４記載の再生装置。
【請求項６】
前記情報データは、フレーム内符号化とフレーム間予測符号化とにより符号化された動画像データを含み、前記制御手段は更に、前記情報データの出力中止後、最初に再生された前記フレーム内符号化された画像データから出力を開始することを特徴とする請求項４または５記載の再生装置。
【発明の詳細な説明】
【技術分野】
【０００１】
本発明は再生装置に関し、特に、多数のトラックが形成されたテープ状記録媒体から情報データを再生する装置に関する。
【背景技術】
【０００２】
従来、動画像信号をＭＰＥＧなどの符号化方式により符号化して磁気テープに記録するデジタルＶＴＲが知られている。このようなデジタルＶＴＲでは、符号化された動画像信号に対してエラー訂正符号化処理を施して記録し、再生時には、再生される動画像信号にエラー訂正復号処理を行うことで再生データ中の伝送エラーを訂正している。
【０００３】
また、近年では、民生用のデジタルＶＴＲのフォーマットとして、ＨＤＶフォーマットが提案された。
【０００４】
ＨＤＶフォーマットでは、テープ上の１６トラック分のデータを単位としてエラー訂正符号化処理を施して記録している（例えば、特許文献１参照）。
【０００５】
そのため、再生時においては、再生データ中のトラック番号情報に基づいて１６トラック分のデータを検出し、メモリに蓄積した後、この１６トラック分のデータを単位としてエラー訂正復号処理を施す。
【特許文献１】特開２００４−１５３８４
【発明の開示】
【発明が解決しようとする課題】
【０００６】
デジタルＶＴＲにおいては、既に画像データが記録されたテープの一部のトラックに対して、新たに画像データを上書き記録するインサート記録機能を持つものがある。
【０００７】
そして、ＨＤＶフォーマットのデジタルＶＴＲにおいて、この様なインサート記録機能を実施した場合、テープを搬送するキャプスタンなどのメカニカルな精度の差によっては、インサート記録の終端部分ではテープ上に記録されている画像データやトラック番号情報などが不連続になるおそれがある。
【０００８】
そのため、エラー訂正復号を行う際に、１６トラック分のデータを正確に検出できず、再生時に画像が乱れてしまうという問題があった。
【０００９】
本発明はこの様な問題を解決することを目的とする。
【課題を解決するための手段】
【００１０】
Ｎトラック（Ｎは２以上の整数）を単位としてエラー訂正符号化処理が施された情報データを含むデジタルデータをテープ状記録媒体上の多数のトラックから再生する再生手段と、前記再生手段により再生されたデジタルデータよりトラック番号を示すトラック管理情報を検出する検出手段と、前記Ｎトラック分の情報データを記憶可能で独立にデータの書き込み及び読み出しが可能な複数のメモリバンクを有し、前記再生手段により再生された情報データを記憶するメモリと、前記メモリの各メモリバンクに記憶されたＮトラック分の情報データに対してエラー訂正復号処理を施すエラー訂正手段と、前記検出手段により検出されたトラック管理情報に基づいて、前記再生された情報データを書き込むメモリバンクを切り替える制御手段とを備え、前記制御手段は、前記検出手段により検出されたトラック番号が不連続であった場合、前記トラック番号が連続するよう前記不連続部分のトラック番号を変更し、変更後のトラック番号に基づいて前記メモリバンクを切り替える。
【発明の効果】
【００１１】
本発明によれば、テープ上のデータの不連続部分における再生データの乱れを抑制することができる。
【発明を実施するための最良の形態】
【００１２】
以下、本発明の実施形態を図面に基づいて説明する。
【００１３】
なお、以下の説明では、圧縮符号化された動画像信号（データ）が記録されている記録媒体は磁気テープであるとして説明する。
【００１４】
図１は、本発明の実施形態による再生装置の構成例を示すブロック図である。
【００１５】
図１において、１０１は非符号出力である映像信号を出力するビデオ出力インターフェース（ＶＩＤＥＯ出力Ｉ／Ｆ）であり、１０２は非符号出力である音声信号を出力するオーディオ出力インターフェース（ＡＵＤＩＯ出力Ｉ／Ｆ）である。ＶＩＤＥＯ出力Ｉ／Ｆ１０１及びＡＵＤＩＯ出力Ｉ／Ｆ１０２は、非符号化の再生出力信号（データ）として、いわゆるアナログビデオ出力及びアナログオーディオ出力をそれぞれ出力するためのものである。
【００１６】
１０３はＭＰＥＧ方式に準拠して符号化された画像を伸張、復号化する、すなわち圧縮画像データに復号処理を行うＭＰＥＧデコーダである。このＭＰＥＧデコーダ１０３は、本発明の出力制御手段を構成する。１０５は可変長の圧縮画像データを蓄積するストリームバッファであり、１０４はストリームバッファ１０５を制御するバッファ管理部である。
【００１７】
１０６はメモリ１０７に格納されたデータに対し、Ｎトラックを単位としてエラー訂正復号処理を施すエラー訂正部である。１０７はワークメモリである。ワークメモリは、それぞれＮトラック分の再生データを記憶可能であり、独立にデータの書き込み、読み出しが可能な複数のメモリバンクで構成される。
【００１８】
１０９はテープインターフェイスとしての変調・復調部であり、アナログ信号を変調／復調する。１１０は本実施形態による再生装置を構成する各ブロックを制御するマイコンであり、エラー訂正部１０６より供給されるトラック番号の情報に基づいてトラック番号の不連続を検出し、トラック番号が連続するよう置き換えてエラー訂正部１０６に渡す。また、マイコン１１０は、後述の様に、トラック番号の不連続部分における差分値に応じてエラー訂正部１０６の処理を停止絵させると共にバッファ管理部１０４を制御して再生データの出力を停止する。１１２は記録媒体である磁気テープであり、１１１はマイコン１１０からの指示で磁気テープ１１２を駆動するキャプスタンモータである。
【００１９】
次に、図１に示した再生装置において磁気テープ１１２に記録されているデータを再生する再生動作について説明する。
【００２０】
マイコン１１０の指示により、キャプスタンモータ１１１により転送されている磁気テープ１１２から、回転ドラム上に取り付けられたヘッドにてアナログ信号が取り出される。取り出されたアナログ信号は、変調・復調部１０９にて復調されデジタルデータ（符号化データ）に変換される。そして、エラー訂正部１０６に入力される。
【００２１】
エラー訂正部１０６は、入力されたデータ中のトラック番号情報をマイコン１１０に渡すと共に、マイコン１１０から後述の如く不連続部分を補間処理されたトラック番号情報を受け取り、このトラック番号情報に基づいて１６トラック毎にワークメモリ１０７のメモリバンクを切り替えながら再生データをワークメモリ１０７に蓄積する。そして、１６トラック分のデータの蓄積が完了したことに応じてエラー訂正復号処理を行う。エラー訂正処理後のデータは、エラー訂正部１０６よりバッファ管理部１０４を通してストリームバッファ１０５に供給され蓄積される。
【００２２】
次に、ＭＰＥＧデコーダ１０３は、ストリームバッファ１０５に蓄積されたデータ（ビデオデータ及びオーディオデータ）を読み出してデコードし、非符号化出力である映像信号及び音声信号に変換する。そして、変換して得られた非符号化出力の映像信号及び音声信号は、ビデオ出力Ｉ／Ｆ１０１及び音声出力Ｉ／Ｆ１０２に出力されて、アナログのビデオ出力信号、音声出力信号として外部機器等に出力される。
【００２３】
次に、本実施形態におけるデータの記録パターンを順に説明する。
【００２４】
図２は，本実施形態における符号化データの磁気テープ１１２上の記録パターンの一例を模式的に示した図である。
【００２５】
図２において、２０１は各トラックを示している。本実施形態では、ＭＰＥＧデータ（符号化データ）は、磁気テープ１１２上の１６トラック分のデータをシャフリングした状態で積符号構成のエラー訂正符号化処理が施されて磁気テープ１１２に記録されている。この１６トラックのデータを「ＥＣＣユニット」と称し、このＥＣＣユニット２０２を記録する際の最小単位としてＭＰＥＧデータが磁気テープ１１２に記録されている。
【００２６】
また、図２において、２０３は編集ポイントを示す付加情報である。ここで、編集ポイント２０３とは、ここから新たな記録を開始可能なポイントであり、本実施形態では、１フレームのＩピクチャ又はＰピクチャと、２フレームのＢピクチャとからなる３フレーム分のＭＰＥＧデータを単位として編集ポイントが構成されている。付加情報２０３は、ＭＰＥＧデータ中、編集ポイント間の動画像データに対応する音声データのパケットの先頭部分に付加される音声付加情報中に格納される。また、２０４はＥＣＣユニット２０２の先頭に付加されている付加情報である。また、各トラックにはトラック番号を示すトラック番号情報が付加されて記録されている。
【００２７】
図３は、ＥＣＣユニット２０２の一例を示す図である。なお、この図３において、図２に示した構成要素と同一の構成要素には同一の符号を付している。
【００２８】
上述したようにＥＣＣユニット２０２は、磁気テープ１１２にデータを記録する際の最小単位である１６トラック単位で、各トラック間でデータをシャフリングした後、積符号構成のエラー訂正符号化処理が施されている。このＥＣＣユニット２０２を単位としてエラー訂正処理を行うことにより，ＥＣＣユニット単位でデータにおけるエラーの有無を判断する。よって、このＥＣＣユニットが、誤り訂正符号の生成単位（誤り訂正符号の生成に必要な所定のデータ量単位）であり、磁気テープにデータ記録する際の記録の最小単位となる。
【００２９】
ＥＣＣユニット２０２の先頭には、このＥＣＣユニット内の情報を示す付加情報（システムデータ）２０４が記録されている。付加情報（システムデータ）２０４内には、このＥＣＣユニット内の編集ポイントの有無、編集ポイントのＥＣＣユニット内での位置（トラックナンバー及び後述のシンクブロックナンバー）、及び編集ポイントから記録されているピクチャのＤＴＳ（Ｄｅｃｏｄｅ  Ｔｉｍｅ  Ｓｔａｍｐ）と１つのピクチャが復号のためにＶＢＶ（Ｖｉｄｅｏ  Ｂｕｆｆｅｒｉｎｇ  Ｖｅｒｉｆｉｅｒ）バッファ内にとどまる時間を示す遅延値（ＶＢＶ＿Ｄｅｌａｙ値）が書き込まれている。
【００３０】
また、２０５はＭＰＥＧデータ中の音声データパケットに引き続く画像データパケットの先頭に付加される画像付加情報である。編集ポイント２０３と同様の編集ポイントであり、２０６はサーチ用画像データの記録領域である。
【００３１】
図４は，磁気テープ１１２における各トラック内の構成を示した図である。
【００３２】
図４に示すように、各トラックは，０〜１３８のシンクブロック（ＳｙｎｃＢｌｏｃｋ）で構成されている。各シンクブロックは、Ｓｙｎｃ、ＩＤ０、ＩＤ１、ＩＤ２、アウターパリティ（Ｏｕｔｅｒ  Ｐａｒｉｔｙ）又はデータ（ＤＡＴＡ）、及びインナーパリティ（Ｉｎｎｅｒ  Ｐａｒｉｔｙ）で構成されている。
【００３３】
ＩＤ０、ＩＤ１、及びＩＤ２の中には、ＥＣＣユニット内のトラック位置を示すトラックペアナンバー、及びトラック内のシンクブロック位置を示すシンクブロックナンバーが含まれる。アウターパリティ（Ｏｕｔｅｒ  Ｐａｒｉｔｙ）及びインナーパリティ（Ｉｎｎｅｒ  Ｐａｒｉｔｙ）はエラー訂正を可能にするための誤り訂正符号であり、エラー訂正部１０６は、このトラック内にあるアウターパリティ及びインナーパリティを用いてＥＣＣユニット単位でエラー検出並びに訂正を行う。
【００３４】
次に、マイコン１１０によるトラック番号が不連続であった場合の処理について説明する。
【００３５】
マイコン１１０は、エラー訂正部１０６から送られたトラック番号情報を確認し、不連続となっているか否かを判別する。そして、不連続であった場合には、境界部分以降のトラック番号情報を連続する様に置き換え、エラー訂正部１０６に渡す。
【００３６】
具体的には、本実施形態では、１６トラックのうち、２トラック分のデータが欠落した場合でも訂正可能な能力を有し、トラック番号が不連続であった場合には、その境界部分から２トラック分置き換える。
【００３７】
トラック番号の置きかえの様子を図５に示す。
【００３８】
図５中の矢印のタイミングでメモリバンクを切り替える。
【００３９】
図５（ａ）はトラック番号を２トラック分置き換えた結果、１６トラック間隔でメモリバンクの切り替えが行われている様子を示している。
【００４０】
この様にメモリバンクを切り替えた結果、変更前のトラック番号３１と３２のデータもその前の１４トラック分のデータと同じメモリバンクに書き込まれ、エラー訂正処理されることになるが、本実施形態では、２トラック分のデータがエラーであっても正しく訂正できるため、このＥＣＣユニットのデータはエラーとならない。しかしながら、その次のＥＣＣユニットのデータとは不連続なＭＰＥＧデータとなるため、ＥＣＣユニットの管理情報に基づいて、二つのＥＣＣユニットに含まれるＭＰＥＧデータの間の連続性を検出し、連続していた場合にはそのまま処理を続ける。また、不連続であった場合、次にＩピクチャのデータを含むＥＣＣユニットのデータが再生されるまで、再生データの復号及び出力を停止する。
【００４１】
図５（ｂ）は、トラック番号の置きかえを行ったものの、メモリバンクの切り替えタイミングが１６トラックより短くなっている様子を示している。マイコン１１０は、この場合、次にＩピクチャのデータを含むＥＣＣユニットのデータが再生されるまでエラー訂正部１０６の処理を停止し、更に、バッファ管理部１０４によるデータの出力を禁止する。
【００４２】
図５（ｃ）は、トラック番号の置きかえを行ったものの、メモリバンクの切り替えタイミングが１６トラックより長くなっている様子を示している。マイコン１１０は、この場合、次にＩピクチャのデータを含むＥＣＣユニットのデータが再生されるまでエラー訂正部１０６の処理を停止し、更に、バッファ管理部１０４によるデータの出力を禁止する。
【００４３】
以上の処理を図６のフローチャートを用いて説明する。図６のフローは一つのＥＣＣユニットのデータが再生される度に繰り返される。
【００４４】
図６において、まず、再生されたＥＣＣユニットのデータのトラック番号が連続しているか否かを判別し（Ｓ６０１）、不連続であった場合、前述のようにトラック番号を置き換える（Ｓ６０２）。次に、１６トラック間隔でメモリバンクの切り替えが行われたか否かを判別し（Ｓ６０３）、１６トラック間隔でメモリバンクの切り替えが行われない場合には、そのＥＣＣユニットのデータの出力を中止する（Ｓ６０８）。
【００４５】
また、１６トラック間隔でメモリバンクの切り替えが行われていた場合、このＥＣＣユニットのデータを復号し（Ｓ６０４）、この一つ前のＥＣＣユニットのデータが出力中止であったか否かを判別する（Ｓ６０５）。出力中止であった場合、このＥＣＣユニット内のＭＰＥＧデータがＩピクチャのデータを含むか否かを判別し（Ｓ６０８）、Ｉピクチャのデータを含まない場合には出力を中止する。また、Ｉピクチャのデータを含んでいた場合、Ｉピクチャのデータから出力を開始する（Ｓ６０７）。
【００４６】
また、Ｓ６０５で一つ前のＥＣＣユニットが出力中止でなかった場合、このＥＣＣユニットのデータが前のＥＣＣユニットのデータと連続しているか否かを判別し（Ｓ６０９）、連続していた場合にはそのまま出力する（Ｓ６１２）。また、不連続であった場合、このＥＣＣユニットのＭＰＥＧデータがＩピクチャのデータを含むか否かを判別し（Ｓ６１０）、Ｉピクチャのデータを含まない場合には出力を中止する（Ｓ６１１）。また、Ｉピクチャのデータを含んでいた場合、Ｉピクチャのデータから出力を開始する。
【００４７】
この様に、本実施形態によれば、トラック番号が不連続であった場合、エラー訂正処理の訂正能力に従う範囲でトラック番号を置き換え、メモリバンクの切り替えを制御しているので、不連続部分におけるデータの欠落を防ぐことが可能となる。
【図面の簡単な説明】
【００４８】
【図１】本発明の実施形態としての再生装置の構成を示す図である。
【図２】符号化データの磁気テープ上の記録パターンの一例を示す図である。
【図３】ＥＣＣユニットの一例を示す図である。
【図４】磁気テープにおける各トラック内の構成を示す図である。
【図５】トラック番号の変更とそれに伴うメモリバンクの切り替えの様子を示す図である。
【図６】実施形態の再生動作を示すフローチャートである。
【図１】
2007018556.tif 000003
【図２】
2007018556.tif 000004
【図３】
2007018556.tif 000005
【図４】
2007018556.tif 000006
【図５】
2007018556.tif 000007
【図６】
2007018556.tif 000008